【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
電気エネルギーの生成、伝送、配給および／または使用を行うための電気装置であって、  前記電気装置は、電気装置内部空間を囲むハウジングを備え、前記電気装置内部空間の少なくとも一部は、電気部品を配置する少なくとも１つの絶縁空間を形成し、前記絶縁空間は、前記電気部品を囲む絶縁媒体を含み、前記絶縁媒体は、二酸化炭素を含有し、
前記絶縁空間は、一定量の水分および他の汚染物を前記絶縁媒体から減量するまたは除去するための吸着材が配置された少なくとも１つの絶縁空間区画室を含み、
ｍａｄｓは、下記式（ＩＩ）を満たし、
【数１】
2017503633.tif 000001
式中、
ｍＣＯ２は、前記吸着材を前記絶縁空間区画室に配置する時に、対応する絶縁空間区画室に存在する二酸化炭素の量であり、
Ｋａｄｓ，ＣＯ２は、前記吸着材を前記絶縁空間区画室に配置する時に、前記吸着材が所定温度Ｔ０で二酸化炭素を吸着する吸着能力であり、
前記絶縁媒体は、有機フッ素化合物をさらに含み、前記少なくとも１つの絶縁空間区画室、特に各絶縁空間区画室に配置された吸着材の量ｍａｄｓは、下記式（Ｉｉ）を満たし、
【数２】
2017503633.tif 000002
式中、
ｍＨ２Ｏは、前記吸着材を前記絶縁空間区画室に配置する時に、対応する絶縁空間区画室に存在する水分の量であり、
Ｋａｄｓ，Ｈ２Ｏは、前記吸着材を前記絶縁空間区画室に配置する時に、前記吸着材が所定温度Ｔ０で水分を吸着する吸着能力であり、
ｍｄｐｉは、ガスメンテナンスまたはガス交換の間に、対応する絶縁空間区画室に生成および/または放出された分解生成物ｄｐ１、ｄｐ２、．．．ｄｐｎの各々の量であり、
ｉは、ｉ番目の分解生成物を表す数字であり、
Ｋａｄｓ，ｄｐｉは、前記吸着材が前記所定温度Ｔ０で分解生成物ｄｐ１、ｄｐ２、．．．ｄｐｎのうちｉ番目の分解生成物を吸着する吸着能力であり、
少なくとも１つの分解生成物は、有機フッ素化合物の分解生成物である、電気装置。
【請求項２】
前記電気装置は、分子篩を吸着材として含む、請求項１に記載の電気装置。
【請求項３】
前記分子篩は、ゼオライトである、請求項２に記載の電気装置。
【請求項４】
前記分子篩は、２Å〜１３Åの平均孔径、好ましくは２Å〜１０Åの平均孔径、より好ましくは２Å〜８Åの平均孔径、最も好ましくは２Å〜５Åの平均孔径を有する、請求項２または３に記載の電気装置。
【請求項５】
前記絶縁空間は、互いに隔離された少なくとも２つの絶縁空間区画室により形成される、請求項１〜４のいずれか１項に記載の電気装置。
【請求項６】
前記少なくとも２つの区画室の体積は、互いに少なくとも１．５倍、好ましくは少なくとも７倍、最も好ましくは少なくとも５０倍で異なる、請求項５に記載の電気装置。
【請求項７】
前記電気装置は、カルシウム、硫酸カルシウム、特にドライエライト、炭酸カルシウム、水素化カルシウム、塩化カルシウム、炭酸カリウム、水酸化カリウム、硫酸銅（ＩＩ）、酸化カルシウム、マグネシウム、酸化マグネシウム、硫酸マグネシウム、過塩素酸マグネシウム、ナトリウム、硫酸ナトリウム、アルミニウム、水素化リチウムアルミニウム、酸化アルミニウム、活性アルミナ、モンモリロナイト、五酸化燐、シリカゲル、セルロースフィルタ、およびこれらの混合物からなる群から選択された乾燥剤をさらに含む、請求項１〜６のいずれか１項に記載の電気装置。
【請求項８】
前記絶縁媒体は、バックグラウンドガス、特に、空気、空気成分、酸素（Ｏ２）、窒素（Ｎ２）、窒素酸化物、およびこれらの混合物からなる群から選択されたバックグラウンドガスをさらに含む、請求項１〜７のいずれか１項に記載の電気装置。
【請求項９】
前記絶縁媒体に含まれた前記バックグラウンドガスは、二酸化炭素と酸素の混合物からなる、請求項８に記載の電気装置。
【請求項１０】
二酸化炭素の量と酸素の量との比率は、５０：５０〜１００：１の範囲、好ましくは８０：２０〜９５：５の範囲、より好ましくは８５：１５〜９２：８の範囲、さらにより好ましくは８７：１３〜９０：１０未満の範囲に変動し、特にその比率は、約８９：１１である、請求項９に記載の電気装置。
【請求項１１】
前記有機フッ素化合物は、フルオロエーテル、特にハイドロフルオロモノエーテル、フルオロケトン、特にパーフルオロケトン、フルオロオレフィン、特にハイドロフルオロオレフィン、フルオロニトリル、特にパーフルオロニトリル、およびこれらの混合物からなる群から選択される、請求項１に記載の電気装置。
【請求項１２】
前記絶縁媒体は、少なくとも３つの炭素原子を有するハイドロフルオロモノエーテルを含む、請求項１〜１１のいずれか１項に記載の電気装置。
【請求項１３】
前記絶縁媒体は、４〜１２個の炭素原子を有するフルオロケトン、好ましくはちょうど５つの炭素原子またはちょうど６つの炭素原子を有するフルオロケトンまたはそれらの混合物を含む、請求項１〜１２のいずれか１項に記載の電気装置。
【請求項１４】
前記絶縁媒体は、パーフルオロアルキルニトリルを含み、特に、パーフルオロアセトニトリル、パーフルオロプロピオニトリル（Ｃ２Ｆ５ＣＮ）、パーフルオロブチロニトリル（Ｃ３Ｆ７ＣＮ）、パーフルオロイソブチロニトリル（ＣＦ３）２ＣＦＣＮ）、パーフルオロ−２−メトキシプロパンニトリル（ＣＦ３ＣＦ（ＯＣＦ３）ＣＮ）、およびこれらの混合物からなる群から選択された化合物を含む、請求項１〜１３のいずれか１項に記載の電気装置。
【請求項１５】
各絶縁空間区画室に配置された前記吸着材の量ｍａｄｓは、下記式（Ｉｉ）を満たす、請求項１〜１４のいずれか１項に記載の電気装置。
【数３】
2017503633.tif 000003
【請求項１６】
前記電気装置は、高電圧装置または中電圧装置である、請求項１〜１５のいずれか１項に記載の電気装置。
【請求項１７】
前記電気装置は、高電圧装置、中電圧装置、低電圧装置、直流装置、スイッチ装置、空気絶縁スイッチ装置、空気絶縁スイッチ装置の一部または部品、ガス絶縁金属内包スイッチ装置（ＧＩＳ）、ガス絶縁金属内包スイッチ装置の一部または部品、空気絶縁送電線、ガス絶縁送電線（ＧＩＬ）、バスバー、ブッシング、空気絶縁絶縁体、ガス絶縁金属内包絶縁体、ケーブル、ガス絶縁ケーブル、ケーブル継手、電流変成器、電圧変成器、センサ、サージ避雷器、キャパシタ、インダクタ、抵抗器、電流制限器、高電圧スイッチ、接地スイッチ、断路器、負荷開閉スイッチ、回路遮断器、ガス回路遮断器、真空回路遮断器、発電機回路遮断器、中電圧スイッチ、環状主回路ユニット、再閉路器、分割器、低電圧スイッチ、変成器、配電変成器、電力変成器、タップ切換器、変成器ブッシング、回転電機、発電機、電動機、駆動装置、半導体装置、電力半導体装置、電力変換装置、計算機、これらの装置の部品および／または組合わせの一部であるまたはそのものである、請求項１〜１６のいずれか１項に記載の電気装置。
【請求項１８】
前記少なくとも１つの絶縁空間区画室は、１立方メートルの単位体積で、５ｋｇ未満、好ましくは１．２５ｋｇ未満、より好ましくは０．２５ｋｇ未満、最も好ましくは０．１２５ｋｇ未満の体積固有量の吸着材を含む、請求項１〜１７のいずれか１項に記載の電気装置。
【請求項１９】
電気エネルギーの生成、伝送、配給および／または使用を行うための電気装置であって、  前記電気装置は、電気装置内部空間を囲むハウジングを備え、前記電気装置内部空間の少なくとも一部は、電気部品を配置する少なくとも１つの絶縁空間を形成し、前記絶縁空間は、前記電気部品を囲む絶縁媒体を含み、前記絶縁媒体は、二酸化炭素を含有し、
前記絶縁空間は、一定量の水分および他の汚染物を前記絶縁媒体から減量するまたは除去するための吸着材が配置された少なくとも１つの絶縁空間区画室を含み、
前記少なくとも１つの絶縁空間区画室は、１立方メートルの単位体積で、５ｋｇ未満の体積固有量の吸着材を含み、
前記絶縁媒体は、有機フッ素化合物をさらに含み、前記少なくとも１つの絶縁空間区画室、特に各絶縁空間区画室に配置された前記吸着材の量ｍａｄｓは、下記式（Ｉｉ）を満たし、
【数４】
2017503633.tif 000004
式中、
ｍＨ２Ｏは、前記吸着材を前記絶縁空間区画室に配置する時に、対応する絶縁空間区画室に存在する水分の量であり、
Ｋａｄｓ，Ｈ２Ｏは、前記吸着材を前記絶縁空間区画室に配置する時に、前記吸着材が所定温度Ｔ０で水分を吸着する吸着能力であり、
ｍｄｐｉは、ガスメンテナンスまたはガス交換の間に、対応する絶縁空間区画室に生成および/または放出された分解生成物ｄｐ１、ｄｐ２、．．．ｄｐｎの各々の量であり、
ｉは、ｉ番目の分解生成物を表す数字であり、
Ｋａｄｓ，ｄｐｉは、前記吸着材が前記所定温度Ｔ０で分解生成物ｄｐ１、ｄｐ２、．．．ｄｐｎのうちｉ番目の分解生成物を吸着する吸着能力であり、
少なくとも１つの分解生成物は、有機フッ素化合物の分解生成物である、電気装置。
【請求項２０】
前記少なくとも１つの絶縁空間区画室は、１立方メートルの単位体積で、１．２５ｋｇ未満、好ましくは０．２５ｋｇ未満、最も好ましくは０．１２５ｋｇ未満の体積固有量の吸着材を含む、請求項１９に記載の電気装置。
【請求項２１】
前記電気部品は、非回路遮断器の部品であり、
前記少なくとも１つの絶縁空間区画室は、１立方メートルの単位体積で、２ｋｇ未満、好ましくは０．５ｋｇ未満、より好ましくは０．１ｋｇ未満、最も好ましくは０．０５５ｋｇ未満の体積固有量の吸着材を含む、請求項１９〜２０のいずれか１項に記載の電気装置。
【請求項２２】
前記所定温度は、室温、具体的には標準環境温度、より具体的には約２９８．１５Ｋの温度である、請求項１９〜２１のいずれか１項に記載の電気装置。
【請求項２３】
前記吸着剤の量ｍａｄｓは、前記吸着材を前記絶縁空間区画室に導入する際に、前記絶縁媒体内のＣＯ２の分圧が１５％未満、好ましくは１０％未満、より好ましくは５％未満、最も好ましくは２％未満に変化するように、選択される、請求項１９〜２２のいずれか１項に記載の電気装置。
【請求項２４】
前記吸着剤の量ｍａｄｓは、第１式（Ｉ）により与えられた下限値よりも、第２式（ＩＩ）により与えられた上限値に近くなるように選択される、請求項１９〜２３のいずれか１項に記載の電気装置。
【請求項２５】
前記吸着剤の量ｍａｄｓは、第１式（Ｉ）により与えられた下限値が第１所定温度Ｔ１で決定され、第２式（ＩＩ）により与えられた上限値が第２所定温度Ｔ２で決定され、且つ、前記第１所定温度Ｔ１が前記第２所定温度Ｔ２よりも高くなるように選択される、請求項１９〜２４のいずれか１項に記載の電気装置。
【請求項２６】
前記吸着剤の量ｍａｄｓは、前記第１所定温度Ｔ１が前記所定温度Ｔ０以上、特に室温以上であり、前記第２所定温度Ｔ２が前記所定温度Ｔ０、特に室温よりも低く、または前記電気装置の最小動作温度に等しくなるように選択される、請求項２４に記載の電気装置。
【請求項２７】
電気エネルギーの生成、伝送、配給および／または使用を行うための電気装置、特に前記請求項のいずれか１項に記載の電気装置内の水分および他の汚染物を吸着するための吸着材の最適量を決定するための方法であって、
前記電気装置は、電気装置内部空間を囲むハウジングを備え、前記電気装置内部空間の少なくとも一部は、電気部品を配置する少なくとも１つの絶縁空間を形成し、前記絶縁空間は、前記電気部品を囲む絶縁媒体を含み、前記絶縁媒体は、二酸化炭素を含有し、前記絶縁空間は、少なくとも１つの絶縁空間区画室を含み、
前記方法は、
ａ）前記少なくとも１つの絶縁空間区画室に前記吸着材を配置する時に、前記絶縁空間区画室に存在する水分の量ｍＨ２Ｏを決定するステップと、
ｂ）前記少なくとも１つの絶縁空間区画室に前記吸着材を配置する時に、前記絶縁空間区画室に存在する二酸化炭素の量ｍＣＯ２を決定するステップと、
ｃ）式（Ｉｉ）に従って、前記少なくとも１つの絶縁空間区画室に配置された吸着材の量ｍａｄｓの下限値を決定するステップと、
【数５】
2017503633.tif 000005
式中、
Ｋａｄｓ，Ｈ２Ｏは、前記吸着材を前記絶縁空間区画室に配置する時に、前記吸着材が所定温度Ｔ０または第１所定温度Ｔ１で水分を吸着する吸着能力であり、
ｍｄｐｉは、ガスメンテナンスまたはガス交換の間に、対応する絶縁空間区画室に生成および/または放出された分解生成物ｄｐ１、ｄｐ２、．．．ｄｐｎの各々の量であり、
ｉは、ｉ番目の分解生成物を表す数字であり、
Ｋａｄｓ，ｄｐｉは、前記吸着材が前記所定温度Ｔ０または前記第１所定温度Ｔ１で分解生成物ｄｐ１、ｄｐ２、．．．ｄｐｎのうちｉ番目の分解生成物を吸着する吸着能力であり、
少なくとも１つの分解生成物は、有機フッ素化合物の分解生成物である、
ｄ）式（ＩＩ）に従って、少なくとも１つの絶縁空間区画室に配置された吸着材の量ｍａｄｓの上限値を決定するステップとを含み、
【数６】
2017503633.tif 000006
式中、
Ｋａｄｓ，ＣＯ２は、前記吸着材を前記絶縁空間区画室に配置する時に、前記吸着材が所定温度Ｔ０または第１所定温度Ｔ２で二酸化炭素を吸着する吸着能力である、方法。
【請求項２８】
前記方法は、第１式（Ｉｉ）により与えられた下限値よりも、第２式（ＩＩ）により与えられた上限値に近くなるように、前記吸着剤の量ｍａｄｓを選択する方法要素を含む、請求項２７に記載の方法。
【請求項２９】
前記方法は、第１式（Ｉｉ）により与えられた下限値が前記第１所定温度Ｔ１で決定され、第２式（ＩＩ）により与えられた上限値が前記第２所定温度Ｔ２で決定され、且つ、前記第１所定温度Ｔ１が前記第２所定温度Ｔ２よりも高くなるように、前記吸着剤の量ｍａｄｓを選択する方法要素を含む、請求項２７〜２８のいずれか１項に記載の方法。
【請求項３０】
前記吸着剤の量ｍａｄｓは、前記第１所定温度Ｔ１が室温に等しくなり、前記第２所定温度Ｔ２が室温よりも低くまたは前記電気装置の最小動作温度に等しくなるように選択される、請求項２９に記載の電気装置。
【請求項３１】
前記吸着剤の量は、前記吸着材を前記絶縁空間区画室に導入する際に、前記絶縁媒体内のＣＯ２の分圧が１５％未満、好ましくは１０％未満、より好ましくは５％未満、最も好ましくは２％未満に変化するように、選択される、請求項２７〜３０のいずれか１項に記載の方法。
【請求項３２】
前記所定温度は、室温、具体的には標準環境温度、より具体的には約２９８．１５Ｋの温度に等しくなるように選択される、請求項２７〜３１のいずれか１項に記載の方法。
【手続補正２】
【補正対象書類名】明細書
【補正対象項目名】００６８
【補正方法】変更
【補正の内容】
【００６８】
特に高電圧スイッチ装置の電流遮断を考慮して、さらなる実施形態特において、二酸化炭素の量と酸素の量との比率は、好ましくは８０：２０〜９５：５の範囲、より好ましくは８５：１５〜９２：８の範囲、さらにより好ましくは８７：１３〜９０：１０未満の範囲に変動し、特にその比率は、約８９：１１である。酸素の量について、現在判明したことは、酸素が５％未満のモル割合で存在する場合、電流遮断を繰り返しても、高電流アーク放電を用いて、防止すべき煤煙の形成を十分に抑制することができない一方、酸素が最大２０％のモル割合、より具体的には最大１５％のモル割合で存在する場合、酸化による電気装置の材料劣化の危険性を低減することができることである。
【手続補正３】
【補正対象書類名】明細書
【補正対象項目名】０１５１
【補正方法】変更
【補正の内容】
【０１５１】
約０．２０のｋａｄｓ，Ｈ２Ｏを有する吸着材に対し、下記式によって決定された吸着材の量の下限値は、１１０ｇである。